(57)【要約】  カーペットへの取付作業性のよいマット用留め具を提供する。  マット用留め具１００は、カーペット１０１のマット固定用孔１０２の表面周縁に係合する基部２０１及びマット固定用孔に挿入されてその裏面周縁に係合する係止脚片２０３を有するグロメット２００と、該グロメットに挿入される軸部３０１及びカーペットの上に配置されるマット１０３の取付孔１０４に挿入される頭部３０２を有するピン３００とを備える。ピンの軸部をグロメットのピン挿通孔２０２に挿入することにより、係止脚片が軸部によって押し開かれて、カーペットのマット固定用孔の裏面周縁に係合する。また、グロメットとピンとの間にはピンの軸部を抜け止めする係合部が設けられ、ピンの頭部は、マットの取付孔に挿入されて、ピンを回転させることにより、マットの取付孔の表面周縁に係合する。
2016043151.tif 000002
【特許請求の範囲】
【請求項１】
カーペットのマット固定用孔の表面周縁に係合する基部、及び該基部の裏面側から延出され、前記マット固定用孔に挿入されてその裏面周縁に係合する係止脚片を有するグロメットと、該グロメットに挿入される軸部及び前記カーペットの上に配置されるマットの取付孔に挿入される頭部を有するピンとを備えたマット用留め具において、
前記グロメットの基部は、前記ピンの軸部が挿入されるピン挿通孔を有し、前記係止脚片は、前記ピン挿通孔の裏面周縁から延出され、前記ピンの軸部を前記ピン挿通孔に挿入することにより、前記軸部によって押し開かれて、前記カーペットのマット固定用孔の裏面周縁に係合するように構成されており、
前記グロメットと前記ピンとの間には、前記ピンの軸部を前記グロメットのピン挿通孔に挿入した状態で、前記ピンの軸部を抜け止めする係合部が設けられ、
前記ピンの頭部は、前記マットの取付孔に挿入されて、前記ピンを回転させることにより、前記マットの取付孔の表面周縁に係合するように構成されていることを特徴とするマット用留め具。
【請求項２】
前記ピンの軸部には、前記グロメットの基部と前記マットとの間に配置され、前記マットの取付孔の裏面周縁に当接する第１フランジ部が設けられている請求項１記載のマット用留め具。
【請求項３】
前記グロメットの基部には、前記ピンの第１フランジ部の裏面に対向する第２フランジ部と、該第２フランジ部よりも大きな外径を有し、前記カーペットの表面に係合する第３フランジ部とが設けられ、前記第１フランジ部及び前記第２フランジ部の少なくとも一方には、その周縁から延出されて他方の周縁を抱き込む保持片が設けられている請求項２記載のマット用留め具。
【請求項４】
前記係止脚片が前記軸部によって押し開かれた状態で、前記軸部の前記係止脚片に当接する部分は円柱状をなし、前記係止脚片の前記軸部に当接する部分は前記軸部の円柱状部分に適合する円弧状をなす請求項１〜３のいずれか１つに記載のマット用留め具。
【請求項５】
前記係止脚片は、少なくとも一対のものからなり、前記係合部は、前記グロメットのピン挿通孔内周と、前記ピンの軸部外周との間に形成される、周方向に対向して設けられた一対の第１係合部と、前記係止脚片が前記軸部によって押し開かれた状態で、前記係止脚片と前記軸部外周との当接部に形成される、周方向に対向して設けられた一対の第２係合部とを有し、前記一対の第１係合部と、前記一対の第２係合部とは、前記軸部の軸方向に沿って見たとき、互いに直交する位置に設けられている請求項１〜４のいずれか１つに記載のマット用留め具。
【請求項６】
前記係止脚片が前記軸部によって押し開かれた状態で、前記カーペットの裏面に対向する面には、食い込み凸部が形成されており、前記基部の前記カーペットの表面に対向する面には、押し込み凸部が形成されており、前記食い込み凸部及び前記押し込み凸部の少なくとも一方の凸部は複数個あり、前記食い込み凸部及び前記押し込み凸部の少なくとも一方の複数の凸部の間に、前記食い込み凸部及び前記押し込み凸部の他方の凸部が配置されている請求項１〜５のいずれか１つに記載のマット用留め具。
【発明の詳細な説明】
【技術分野】
【０００１】
本発明は、例えば自動車の床等に設置されるカーペット上に、マットを固定するためのマット用留め具に関する。
【背景技術】
【０００２】
乗用車等の自動車の床には、カーペットが敷かれており、このカーペットが汚れないようにするため、カーペットの上に更にマットを載せて使用している。この場合、カーペットに対して、マットが不用意に動かないようにするため、カーペット上にマットを着脱自在に固定するマット用留め具が用いられている。【０００３】
このような留め具として、下記特許文献１には、ティビアパッドに雌部材を取付けておき、ダッシュサイレンサには雌部材と係合可能な雄部材を取付け、雄部材と雌部材とを係合させることにより、ダッシュサイレンサにティビアパッドを固定できるようにしたクリップが開示されている。このクリップの雄部材は、ダッシュサイレンサに形成された挿通穴の表側に係合する雄フランジと、この雄フランジの裏面に設けられた被係止部から延出され、挿通穴に挿入される脚体とを有しており、脚体をダッシュサイレンサの裏側から押して被係止部に係止させることにより、脚体が折り畳まれて広がり、挿通穴の下面側の周縁に係合するようになっている。
【先行技術文献】
【特許文献】
【０００４】
【特許文献１】特開２００３−２９４０７１号公報
【発明の概要】
【発明が解決しようとする課題】
【０００５】
しかしながら、特許文献１に記載されたクリップでは、雄部材をダッシュサイレンサに取付ける際に、ダッシュサイレンサの裏側から脚体を押して、脚体を広げて被係止部に係止させる必要があり、取付作業性が良くなかった。【０００６】
したがって、本発明の目的は、カーペットへの取付作業性のよいマット用留め具を提供することにある。
【課題を解決するための手段】
【０００７】
上記目的を達成するため、本発明のマット用留め具は、カーペットのマット固定用孔の表面周縁に係合する基部、及び該基部の裏面側から延出され、前記マット固定用孔に挿入されてその裏面周縁に係合する係止脚片を有するグロメットと、該グロメットに挿入される軸部及び前記カーペットの上に配置されるマットの取付孔に挿入される頭部を有するピンとを備えたマット用留め具において、
前記グロメットの基部は、前記ピンの軸部が挿入されるピン挿通孔を有し、前記係止脚片は、前記ピン挿通孔の裏面周縁から延出され、前記ピンの軸部を前記ピン挿通孔に挿入することにより、前記軸部によって押し開かれて、前記カーペットのマット固定用孔の裏面周縁に係合するように構成されており、
前記グロメットと前記ピンとの間には、前記ピンの軸部を前記グロメットのピン挿通孔に挿入した状態で、前記ピンの軸部を抜け止めする係合部が設けられ、
前記ピンの頭部は、前記マットの取付孔に挿入されて、前記ピンを回転させることにより、前記マットの取付孔の表面周縁に係合するように構成されていることを特徴とする。【０００８】
本発明のマット用留め具においては、前記ピンの軸部には、前記グロメットの基部と前記マットとの間に配置され、前記マットの取付孔の裏面周縁に当接する第１フランジ部が設けられていることが好ましい。【０００９】
また、前記グロメットの基部には、前記ピンの第１フランジ部の裏面に対向する第２フランジ部と、該第２フランジ部よりも大きな外径を有し、前記カーペットの表面に係合する第３フランジ部とが設けられ、前記第１フランジ部及び前記第２フランジ部の少なくとも一方には、その周縁から延出されて他方の周縁を抱き込む保持片が設けられていることが好ましい。【００１０】
また、前記係止脚片が前記軸部によって押し開かれた状態で、前記軸部の前記係止脚片に当接する部分は円柱状をなし、前記係止脚片の前記軸部に当接する部分は前記軸部の円柱状部分に適合する円弧状をなすことが好ましい。【００１１】
更に、前記係止脚片は、少なくとも一対のものからなり、前記係合部は、前記グロメットのピン挿通孔内周と、前記ピンの軸部外周との間に形成される、周方向に対向して設けられた一対の第１係合部と、前記係止脚片が前記軸部によって押し開かれた状態で、前記係止脚片と前記軸部外周との当接部に形成される、周方向に対向して設けられた一対の第２係合部とを有し、前記一対の第１係合部と、前記一対の第２係合部とは、前記軸部の軸方向に沿って見たとき、互いに直交する位置に設けられていることが好ましい。【００１２】
更にまた、前記係止脚片が前記軸部によって押し開かれた状態で、前記カーペットの裏面に対向する面には、食い込み凸部が形成されており、前記基部の前記カーペットの表面に対向する面には、押し込み凸部が形成されており、前記食い込み凸部及び前記押し込み凸部の少なくとも一方の凸部は複数個あり、前記食い込み凸部及び前記押し込み凸部の少なくとも一方の複数の凸部の間に、前記食い込み凸部及び前記押し込み凸部の他方の凸部が配置されていることが好ましい。
【発明の効果】
【００１３】
本発明のマット用留め具においては、グロメットの係止脚片を、カーペットの表側から、マット固定用孔に挿通し、ピンの軸部をグロメットのピン挿入孔に挿入して、係止脚片を押し開くだけで、カーペットに取付けることができるので、取付作業性が良好である。
【図面の簡単な説明】
【００１４】
【図１】本発明のマット用留め具の一実施形態を示す分解斜視図である。
【図２】同マット用留め具のグロメットにピンを差し込んで仮止めした状態を示す斜視図である。
【図３】同マット用留め具のグロメットを示し、（ａ）は斜め上方から見た斜視図、（ｂ）は斜め下方から見た斜視図である。
【図４】同マット用留め具のグロメットの断面斜視図である。
【図５】同マット用留め具のピンを示し、（ａ）は斜め上方から見た斜視図、（ｂ）は斜め下方から見た斜視図である。
【図６】同マット用留め具のグロメットにピンを差し込んで仮止めした状態を示す断面斜視図である。
【図７】同マット用留め具のグロメットにピンを差し込んだ状態を示す、中央の一点鎖線の右側と左側とで９０度角度を変えて見た断面図であり、（ａ）は仮止めした状態を示す断面図、（ｂ）は仮止め状態から更にピンを押し込んだ状態を示す断面図である。
【図８】同マット用留め具のグロメットにピンを完全に差し込んだ状態を示す断面図であり、（ａ）は係合脚片の中心を通る部分で切った断面図、（ｂ）は（ａ）とは９０度交差する部分で切った断面図である。
【図９】同マット用留め具でカーペット上にマットを固定した状態を示す断面図である。
【発明を実施するための形態】
【００１５】
以下、図面を参照して、本発明によるマット用留め具の一実施形態を説明する。
【００１６】
図１に示すように、このマット用留め具１００は、例えば乗用車等の床に敷かれるカーペット１０１上に、マット１０３を乗せて固定するのに使用される。この実施形態の場合、カーペット１０１には、角孔状のマット固定用孔１０２が設けられ、マット１０３には、ほぼ円形の中央部１０５と、その対向する部分から延出されたスリット状延出部１０６とからなる取付孔１０４が設けられている。
【００１７】
マット用留め具１００は、グロメット２００と、ピン３００とで構成されている。グロメット２００は、ピン挿通孔２０２が中央に設けられ、カーペット１０１のマット固定用孔１０２の表面周縁に係合する基部２０１と、基部２０１の裏面から延出され、ピン３００を挿入することにより、押し開かれてカーペット１０１のマット固定用孔１０２の裏面周縁に係合する一対の係止脚片２０３を有している。ピン３００は、グロメット２００のピン挿通孔２０２に挿入される軸部３０１と、マット１０３の取付孔１０４に挿入されて、ピン３００を回転させることにより、取付孔１０４の表面周縁に係合する頭部３０２とを有している。
【００１８】
図２，３，４を参照して、グロメット２００について更に詳しく説明する。グロメット２００の基部２０１は、カーペット１０１のマット固定用孔１０２に挿入される角形の枠状部２０４と、この枠状部２０４の４つの角部から下方に延出された柱状ガイド２０５と、カーペット１０１のマット固定用孔１０２の表面周縁に係合するフランジ状延出部２０６と、その周縁から上下に分かれて延出された第２フランジ部２０７、第３フランジ部２０８とで構成されている。第３フランジ部２０８の外径は、第２フランジ部２０７の外径よりもやや大きくされている。この実施形態では、第２フランジ部２０７、第３フランジ部２０８の内径側部分がフランジ状延出部２０６に連結されて一体化しているが、以下の説明では、便宜上、フランジ状延出部２０６の上面をなす部分を第２フランジ部２０７とし、フランジ状延出部２０６の下面をなす部分を第３フランジ部２０８として説明することにする。
【００１９】
第２フランジ部２０７の上面には、９０度ずつの角度で、ピン挿通孔２０２の内周の各辺の中央に位置して、半径方向に伸びる位置決め溝２０９が形成されている。また、第３フランジ部２０８の裏面には、係止脚片２０３が延出された部分に対応する、周方向に対向する２箇所に、外径方向に伸びる一対の平行な押し込み凸部２１６が、それぞれ形成されている（図３（ｂ）参照）。押し込み凸部２１６の数は、一対に限定されず、１つ以上あればよい。また、ピン挿通孔２０２の内周の、係止脚片２０３が位置しない方向の２辺の中央部には、第２フランジ部２０７の上面側からピン挿通孔２０２の内方やや下方に向けて延出された一対の第１係合片２１０が設けられている（図３（ａ）参照）。第１係合片２１０の数は、一対に限定されず、１つ以上あればよい。
【００２０】
角形の枠状部２０４の対向する２辺の下縁部からは、薄肉状のヒンジ部２１１を介して、前記係止脚片２０３がそれぞれ延出されている。係止脚片２０３は、ヒンジ部２１１を介して、拡開可能とされている。係止脚片２０３の基部には、ヒンジ部２１１より基端側に突出する基端部２１２が設けられている。この基端部２１２は、ピン３００の軸部３０１をピン挿通孔２０２に挿入したとき、軸部３０１の先端部に当接して、係止脚片２０３を拡開させる部分となる（図７参照）。基端部２１２の端面に、ピン３００の軸部３０１の外周に適合する円弧状当接面２１３と、その幅方向中央に沿って形成された第２係合溝２１４とが形成されている。なお、係止脚片２０３の数は、一対に限定されず、１つ以上あればよい。
【００２１】
また、一対の係止脚片２０３の外側面、言い換えると、拡開したときにカーペット１０１のマット固定用孔１０２の裏面周縁に当接する部分には、複数の食い込み凸部２１５が複数の列（この実施形態では幅方向に３列）をなして形成されている。これに関連して、前述したように、第３フランジ部２０８の裏面には、食い込み凸部２１５の列の間に位置するように、凸条をなす一対の押し込み凸部２１６が形成されている。
【００２２】
なお、食い込み凸部２１５の突出量が長い場合、係止脚片２０３が拡開したとき、係止脚片２０３の外側面とカーペット１０１の裏面とが直接接触しないで、食い込み凸部２１５だけがカーペット１０１の裏面に当接した状態となってもよい。
【００２３】
また、食い込み凸部２１５及び押し込み凸部２１６の数は、限定されず、少なくとも一方の凸部が複数個あり、食い込み凸部２１５及び押し込み凸部２１６の少なくとも一方の複数の凸部の間に、食い込み凸部２１５及び押し込み凸部２１６の他方の凸部が配置されていればよい（図９参照）。
【００２４】
次に、図２，５，６を参照して、ピン３００について更に詳しく説明する。ピン３００の頭部３０２は、柄部３０３とツマミ部３０４とからなる。柄部３０３は、図１の取付孔１０４の中央部１０５に挿入可能な外径をなし、ツマミ部３０４は、取付孔１０４のスリット状延出部１０６に挿入可能であって、ピン３００を回転させてツマミ部３０４をスリット状延出部１０６と直交する角度にすると、取付孔１０４に係合する幅及び長さとされている（図９参照）。
【００２５】
ピン３００の軸部３０１と頭部３０２との間には、図１のマット１０３の取付孔１０４の裏面周縁に係合する第１フランジ部３０５が設けられている。第１フランジ部３０５は、グロメット２００の第３フランジ部２０８とほぼ同じ外径をなし、第１フランジ部３０５の周方向に対向する２箇所には、第１フランジ部３０５を第２フランジ部２０７に当接させたとき、第２フランジ部２０７の周縁を抱き込むように延出された保持片３０６が設けられている。第１フランジ部３０５の裏面の、保持片３０６と直交する方向にあって周方向に対向する２箇所には、前述したグロメット２００の第２フランジ部２０７上面の位置決め溝２０９に係合する位置決め凸部３０７が形成されている。
【００２６】
なお、この実施例の場合、保持片３０６の位置は、ツマミ部３０４の突出方向と同じ方向に位置している。ただし、保持片３０６の数は、特に限定されず、少なくとも１つ以上あればよいが、好ましくは周方向に均等な角度で配置された２つ以上とされる。また、保持片３０６は、第２フランジ部２０７から延出されて、第１フランジ部３０５の周縁を抱き込むように形成してもよい。
【００２７】
ピン３００の軸部３０１外周の周方向に対応する２箇所には、前記グロメット２００の第１係合片２１０が係合する仮止用係合溝３０８が形成されている。ピン３００の軸部３０１をグロメット２００のピン挿通孔２０２に挿入する際、第１係合片２１０を仮止用係合溝３０８に係合させることにより、ピン３００をグロメット２００に仮止めすることができる（図６参照）。その状態で工場から出荷することにより、ユーザーは、ピン３００をグロメット２００に組付ける手間が省けるので、作業性を良好にすることができる。なお、第１係合片２１０及び仮止用係合溝３０８の数は、一対に限定されず、少なくとも１つずつあればよい。
【００２８】
また、ピン３００の軸部３０１の基部外周には、環状の第１係合溝３０９が形成されている。ピン３００の軸部３０１をグロメット２００のピン挿通孔２０２に最大限に押し込むと、ピン３００の第１係合溝３０９にグロメット２００の第１係合片２１０が係合して、グロメット２００に対してピン３００が抜け止めされるようになっている（図８（ｂ）参照）。上記基部２０１と第１係合溝３０９とが、本発明における第１係合部を構成している。
【００２９】
更に、ピン３００の軸部３０１の先端部外周には、環状の第２係合凸部３１０が形成されている。ピン３００の軸部３０１をグロメット２００のピン挿通孔２０２に最大限に押し込むと、グロメット２００の係止脚片２０３が押し広げられて拡開し、軸部３０１の外周に円弧状当接面２１３が当接すると共に、第２係合溝２１４に第２係合凸部３１０が係合するようになっている（図８（ａ）参照）。これによっても、グロメット２００に対してピン３００が抜け止めされるようになっている。上記第２係合溝２１４と第２係合凸部３１０とが、本発明における第２係合部を構成している。なお、第１係合部及び第２係合部の係合溝と係合凸部との関係は、上記と逆になっていてもよい。
【００３０】
次に、上記構成からなる本発明のマット用留め具１００の作用効果について説明する。
【００３１】
図６に示すように、ピン３００の軸部３０１をグロメット２００のピン挿通孔２０２に挿入し、第１係合片２１０を仮止用係合溝３０８に係合させることにより、ピン３００をグロメット２００に仮止めすることができる。この状態で工場から出荷することにより、ユーザーは、ピン３００がグロメット２００に既に組付けられた状態で、マット用留め具１００を利用できるので、作業性が良好となる。
【００３２】
そして、グロメット２００の柱状ガイド２０５をマット固定用孔１０２の４隅に位置させて、カーペット１０１のマット固定用孔１０２に係止脚片２０３を挿入すると、図７（ａ）に示すように、第３フランジ部２０８の裏面がマット固定用孔１０２の表面周縁に当接する。ただし、押し込み凸部２１６の突出量が長い場合、押し込み凸部２１６がマット固定用孔１０２の表面周縁に当接して、第３フランジ部２０８の裏面は、マット固定用孔１０２の表面周縁に直接当接しなくてもよい。
【００３３】
この状態で、ピン３００の軸部３０１をグロメット２００のピン挿通孔２０２に更に押し込むと、図７（ｂ）に示すように、軸部３０１の先端部が係止脚片２０３の基端部２１２に当接し、係止脚片２０３が軸部３０１によって押し広げられる。
【００３４】
そして、ピン３００の軸部３０１をグロメット２００のピン挿通孔２０２に最大限に押し込むと、図８（ａ）、（ｂ）に示すように、係止脚片２０３が更に拡開してカーペット１０１の裏面に圧接される。また、グロメット２００の第１係合片２１０がピン３００の第１係合溝３０９に係合し、係止脚片２０３の円弧状当接面２１３にピン３００の軸部３０１が当接すると共に、係止脚片２０３の第２係合溝２１４にピン３００の軸部３０１の第２係合凸部３１０が係合する。ここで、前述したように、第１係合片２１０と第１係合溝３０９が本発明による第１係合部をなし、第２係合溝２１４と第２係合凸部３１０が本発明による第２係合部をなしていて、第１係合部の係合位置と、第２係合部の係合位置とは、互いに直交する位置にあるので、グロメット２００に対してピン３００を安定して抜け止めすることができる。
【００３５】
また、この状態では、図９に示すように、カーペット１０１は、第３フランジ部２０８と係止脚片２０３とに挟持され、係止脚片２０３の複数の食い込み凸部２１５がカーペット１０１の裏面に食い込み、第３フランジ部２０８の押し込み凸部２１６が、食い込み凸部２１５の列の間に位置して、カーペット１０１の表面に押し込まれるので、カーペット１０１を断面波形に挟み込み、カーペット１０１に対してマット用留め具１００をしっかりと固定することができる。
【００３６】
なお、この実施形態の場合、食い込み凸部２１５の列は、係止脚片２０３の突出方向に２個の食い込み凸部２１５が並び、係止脚片２０３の幅方向に３列をなして形成され、押し込み凸部２１６は、上記食い込み凸部２１５の列の間に位置するように、枠状部２０４の辺に対して直角方向に延出されているが、食い込み凸部２１５の列の方向や、押し込み凸部２１６の延出方向は、特に限定されるものではない。
【００３７】
また、ピン３００の第１フランジ部３０５は、グロメット２００の第２フランジ部２０７の上面に当接し、第１フランジ部３０５の保持片３０６が第２フランジ部２０７の周縁を抱え込むように保持する。
【００３８】
そして、図１に示したマット１０３の取付孔１０４に、ピン３００の頭部３０２を挿入する。その際、取付孔１０４のスリット状延出部１０６とツマミ部３０４の長手方向とを合わせることにより、ツマミ部３０４をスリット状延出部１０６にスムーズに挿入することができる。
【００３９】
この状態で、ツマミ部３０４を手で持って、ピン３００全体を回転させて、ツマミ部３０４の長手方向を取付孔１０４のスリット状延出部１０６と直交する方向とすることにより、ツマミ部３０４が取付孔１０４に係合して、マット１０３をカーペット１０１に固定することができる。このとき、第１フランジ部３０５の保持片３０６が第２フランジ部２０７の周縁を抱え込むように保持すると共に、ピン３００の軸部３０１がグロメット２００の円弧状当接面２１３に当接しているので、ピン３００の回転をスムーズに行わせることができる。また、第２フランジ部２０７の周縁が第３フランジ部２０８に対してめくれ上がることを抑制できる。更に、保持片３０６が第２フランジ部２０７の周縁を抱き込むため、ピン３００の回転時のガイドにもなる。
【００４０】
なお、マット１０３の取付孔１０４に、もう一つのグロメットを取付けておき、ピン３００のツマミ部３０４が、そのグロメットに形成された取付孔に係合するようにしてもよい。本発明において、「マットの取付孔」とは、マットに直接形成された取付孔に限らず、マットに取付けられたグロメットに形成された取付孔も含む意味である。
【００４１】
また、第３フランジ部２０８は、第２フランジ部２０７よりも外径が大きくされているので、ピン３００を回転させる際、カーペット１０１の表面のケバが、第２フランジ部２０７と保持片３０６との隙間に挟み込まれることが抑制され、スムーズな回転を維持することができる。
【００４２】
なお、ピン３００の回転位置は、ピン３００の第１フランジ部３０５裏面の位置決め凸部３０７を、グロメット２００の第２フランジ部２０７表面の位置決め溝２０９に係合させることにより、所定の位置でクリック感を伴って停止できるので、頭部３０２のツマミ部３０４の長手方向が、カーペット１０１の取付孔１０４のスリット状延出部１０６の方向に対して直交する位置で停止させて、その位置に保持させることができる。
【００４３】
このように、本発明によれば、カーペット１０１の表面側から、マット用留め具１００のグロメット２００の係止脚片２０３をマット固定用孔１０２に挿入し、その状態で、ピン３００の軸部３０１を押し込むだけで、マット用留め具１００をカーペット１０１に固定できるので、カーペット１０１の裏面側からの作業が必要でなく、取付作業性を良好にすることができる。また、マット用留め具１００は、グロメット２００とピン３００との２部品で構成できるので、部品点数を軽減して製造コストを低減できると共に、組立作業性や取り扱い性を向上させることができる。
【００４４】
また、図９に示す状態で、乗員がマット１０３上に乗ると、ピン３００の第１フランジ部３０５に面圧がかかるので、ピン３００が回転しにくくなり、ピン３００が不用意に回転して、ツマミ部３０４が図１のスリット状延出部１０６と平行になって、取付孔１０４から抜けてしまうことを防止できる。また、第１フランジ部３０５を設けることにより、ピン３００の押し込み位置を規制できる。
【符号の説明】
【００４５】
１００  マット用留め具
１０１  カーペット
１０２  マット固定用孔
１０３  マット
１０４  取付孔
１０５  中央部
１０６  スリット状延出部
２００  グロメット
２０１  基部
２０２  ピン挿通孔
２０３  係止脚片
２０４  枠状部
２０５  柱状ガイド
２０６  フランジ状延出部
２０７  第２フランジ部
２０８  第３フランジ部
２０９  位置決め溝
２１０  第１係合片
２１１  ヒンジ部
２１２  基端部
２１３  円弧状当接面
２１４  第２係合溝
２１５  食い込み凸部
２１６  押し込み凸部
３００  ピン
３０１  軸部
３０２  頭部
３０３  柄部
３０４  ツマミ部
３０５  第１フランジ部
３０６  保持片
３０７  位置決め凸部
３０８  仮止用係合溝
３０９  第１係合溝
３１０  第２係合凸部
【図１】
2016043151.tif 000003
【図２】
2016043151.tif 000004
【図３】
2016043151.tif 000005
【図４】
2016043151.tif 000006
【図５】
2016043151.tif 000007
【図６】
2016043151.tif 000008
【図７】
2016043151.tif 000009
【図８】
2016043151.tif 000010
【図９】
2016043151.tif 000011
【国際調査報告】
2016043151.tif 000012
2016043151.tif 000013